(57)【要約】【課題】接合部の空隙にガンマ線の漏洩対策が施されたガンマ線遮蔽性能を具備するプレキャストコンクリート版を用いることで、現場作業量の少ないガンマ線遮蔽壁やガンマ線遮蔽床を提供する。【解決手段】隣接する互いの接合部に空隙３を有するプレキャストコンクリート版１・２であって、空隙３を含んで接合部に外側からラップしてガンマ線を遮蔽するガンマ線遮蔽部４を備える。具体的には、ガンマ線遮蔽部４は、隣接する一方のプレキャストコンクリート版２に一体に備えられている。そして、そのガンマ線遮蔽部４を含んで一つの直角部を有する平面視クランク状に空隙３・５が形成される。【選択図】図１
2014092462.tif 000002
【特許請求の範囲】
【請求項１】
隣接する互いの接合部に空隙を有するプレキャストコンクリート版であって、
前記空隙を含んで前記接合部に外側からラップしてガンマ線を遮蔽するガンマ線遮蔽部、または前記空隙内にガンマ線を遮蔽するガンマ線遮蔽材料のいずれかを備えることを特徴とするプレキャストコンクリート版のガンマ線遮蔽構造。
【請求項２】
前記ガンマ線遮蔽部は、隣接する前記プレキャストコンクリート版の一方に一体に備えられて、
前記空隙は、前記ガンマ線遮蔽部を含んで平面視クランク状に形成されることを特徴とする請求項１に記載のプレキャストコンクリート版のガンマ線遮蔽構造。
【請求項３】
前記空隙は、平面視クランク状に形成されて、
前記ガンマ線遮蔽材料は、前記平面視クランク状空隙に沿って取り付けられて相対向するアングル材であることを特徴とする請求項１に記載のプレキャストコンクリート版のガンマ線遮蔽構造。
【請求項４】
前記空隙は、平面視クランク状に形成されて、
前記ガンマ線遮蔽材料は、前記平面視クランク状空隙に沿って取り付けられて相対向する鉄板であることを特徴とする請求項１に記載のプレキャストコンクリート版のガンマ線遮蔽構造。
【請求項５】
前記ガンマ線遮蔽部は、隣接する前記プレキャストコンクリート版とは別体のプレキャストコンクリート構造物であって、前記空隙を含んで前記接合部に外側から閉塞することを特徴とする請求項１に記載のプレキャストコンクリート版のガンマ線遮蔽構造。
【請求項６】
前記ガンマ線遮蔽部材は、前記空隙に充填されることを特徴とする請求項１に記載のプレキャストコンクリート版のガンマ線遮蔽構造。
【請求項７】
前記ガンマ線遮蔽部材は、袋に収容された鉄球や鉛であることを特徴とする請求項６に記載のプレキャストコンクリート版のガンマ線遮蔽構造。
【発明の詳細な説明】
【技術分野】
【０００１】
本発明は、プレキャストコンクリート版の壁や床などのガンマ線遮蔽構造に関する。
【背景技術】
【０００２】
一般に原子力発電所等のガンマ線に対する遮蔽性能を必要とする建物の壁や床は、必要な遮蔽厚さを有する連続した繋ぎ目のない現場打ちコンクリートによる鉄筋コンクリートで構築される。
そして、二つの建屋に跨り地震時の相対変位を吸収する必要がある放射線遮蔽体において、クランク状の間隙を有するものがある（特許文献１参照）。
また、電線管が貫通する放射線遮蔽壁において、電線管による放射線遮蔽の欠損部を補うため遮蔽板を設けることが行われる（特許文献２、３参照）。
なお、自立型の放射線遮蔽パネル装置も提案される（特許文献４）。
【先行技術文献】
【特許文献】
【０００３】
【特許文献１】特開平５−２１５８９４号公報
【特許文献２】特開平８−５７８６号公報
【特許文献３】特開平１０−１８６０８８号公報
【特許文献４】特開２００６−２７５６１０号公報
【発明の概要】
【発明が解決しようとする課題】
【０００４】
しかし、ガンマ線を遮蔽するため、現場打設コンクリートで繋ぎ目の無い鉄筋コンクリート壁・床を構築する場合、以下の問題がある。
１）鉄筋の配筋作業、型枠作業、コンクリート打設作業など現場での作業量が多い。
２）現場での作業量が多いため、現場での作業員数が多く、また作業時間が長い。
３）例えば、放射線被曝環境下での作業であれば、上記１）２）により作業員の被ばく量が多くなる。
【０００５】
また、特許文献１の放射線遮蔽体は、クランク状の間隙の幅に比べて十分な厚さの遮蔽体が必要で遮蔽体量が増加する。
また、特許文献２、３の放射線遮蔽壁は、その貫通する電線管による欠損部を補うために遮蔽板を施した特殊なものである。
なお、特許文献４は単なる放射線遮蔽パネルに過ぎない。
【０００６】
ところで、壁・床の構築作業においては、現場作業量の多くなる現場打設コンクリートに代えて、建設現場での作業人員、作業時間を減らすために、プレキャストコンクリート版で構築することが多用される。
しかし、ガンマ線遮蔽性能を必要とする壁・床では、ガンマ線を遮蔽するガンマ線遮蔽機能を具備するプレキャストコンクリート版を用いたとき、そのプレキャストコンクリート版同士の繋ぎ目（接合部）に施工上及び振動吸収用の空隙が必要となるが、その空隙からガンマ線が漏洩し遮蔽性能が低下するので、その対策が必要となる。
【０００７】
本発明の課題は、接合部の空隙にガンマ線の漏洩対策が施されたガンマ線遮蔽性能を具備するプレキャストコンクリート版を用いることで、現場作業量の少ないガンマ線遮蔽壁やガンマ線遮蔽床を提供することである。
【課題を解決するための手段】
【０００８】
以上の課題を解決するため、請求項１に記載の発明は、
隣接する互いの接合部に空隙を有するプレキャストコンクリート版であって、
前記空隙を含んで前記接合部に外側からラップしてガンマ線を遮蔽するガンマ線遮蔽部、または前記空隙内にガンマ線を遮蔽するガンマ線遮蔽材料のいずれかを備えることを特徴とするプレキャストコンクリート版のガンマ線遮蔽構造。
【０００９】
請求項２に記載の発明は、
請求項１に記載のプレキャストコンクリート版のガンマ線遮蔽構造であって、
前記ガンマ線遮蔽部は、隣接する前記プレキャストコンクリート版の一方に一体に備えられて、
前記空隙は、前記ガンマ線遮蔽部を含んで平面視クランク状に形成されることを特徴とする。
【００１０】
請求項３に記載の発明は、
請求項１に記載のプレキャストコンクリート版のガンマ線遮蔽構造であって、
前記空隙は、平面視クランク状に形成されて、
前記ガンマ線遮蔽材料は、前記平面視クランク状空隙に沿って取り付けられて相対向するアングル材であることを特徴とする。
【００１１】
請求項４に記載の発明は、
請求項１に記載のプレキャストコンクリート版のガンマ線遮蔽構造であって、
前記空隙は、平面視クランク状に形成されて、
前記ガンマ線遮蔽材料は、前記平面視クランク状空隙に沿って取り付けられて相対向する鉄板であることを特徴とする。
【００１２】
請求項５に記載の発明は、
請求項１に記載のプレキャストコンクリート版のガンマ線遮蔽構造であって、
前記ガンマ線遮蔽部は、隣接する前記プレキャストコンクリート版とは別体のプレキャストコンクリート構造物であって、前記空隙を含んで前記接合部に外側から閉塞することを特徴とする。
【００１３】
請求項６に記載の発明は、
請求項１に記載のプレキャストコンクリート版のガンマ線遮蔽構造であって、
前記ガンマ線遮蔽部材は、前記空隙に充填されることを特徴とする。
【００１４】
請求項７に記載の発明は、
請求項６に記載のプレキャストコンクリート版のガンマ線遮蔽構造であって、
前記ガンマ線遮蔽部材は、袋に収容された鉄球や鉛であることを特徴とする。
【発明の効果】
【００１５】
本発明によれば、接合部の空隙にガンマ線の漏洩対策が施されたガンマ線遮蔽性能を具備するプレキャストコンクリート版を用いることで、現場作業量の少ないガンマ線遮蔽壁やガンマ線遮蔽床を提供することができる。
【図面の簡単な説明】
【００１６】
【図１】本発明を適用したプレキャストコンクリート版接合部の一実施形態の構成を示す断面図である。
【図２】実施形態２の構成を示す断面図である。
【図３】実施形態３の構成を示す断面図である。
【図４】実施形態４の構成を示す断面図である。
【図５】実施形態５の構成を示す断面図である。
【発明を実施するための形態】
【００１７】
以下、図を参照して本発明を実施するための形態を詳細に説明する。
（実施形態１）
図１は本発明を適用したプレキャストコンクリート版接合部の一実施形態の構成を示すもので、１はプレキャストコンクリート版、２はプレキャストコンクリート版、３は空隙、４はガンマ線遮蔽部、５は空隙である。
【００１８】
図示のように、隣接する厚さ１５〜３０ｃｍ程度のプレキャストコンクリート版１・２の接合部には、施工上及び地震発生時等における振動吸収用で幅２〜３ｃｍ程度の空隙３が確保されており、その直線状の空隙３を含んで接合部を外側からラップして覆うように、一方（図示では左側）のプレキャストコンクリート版２と一体のガンマ線遮蔽部４が形成されている。
【００１９】
このガンマ線遮蔽部４は、他方（図示では右側）のプレキャストコンクリート版１の外側面に対し空隙５が確保されており、従って、空隙３・５は一つの直角部を有する平面視クランク状に形成されている。
【００２０】
以上、実施形態の隣接するプレキャストコンクリート版１・２の接合部のガンマ線遮蔽構造によれば、接合部の空隙３を外側からプレキャストコンクリート版２と一体のガンマ線遮蔽部４でラップさせることで、現場作業量の少ないプレキャストコンクリート版１・２によるガンマ線遮蔽壁やガンマ線遮蔽床を提供することができる。
【００２１】
（実施形態２）
図２は実施形態２を示すもので、前述した実施形態１と同様、１はプレキャストコンクリート版、２はプレキャストコンクリート版であって、６は空隙、７はガンマ線遮蔽部材である。
【００２２】
図示のように、隣接するプレキャストコンクリート版１・２の接合部には、二つの直角部を有する平面視クランク状の空隙６が確保されており、その平面視クランク状の空隙６において、ガンマ線遮蔽部材７がプレキャストコンクリート版１・２の両端部に各々埋設されて相対向している。
【００２３】
すなわち、プレキャストコンクリート版１・２の両端部には、二つの直角部を有する平面視クランク状の空隙６を形成する出隅部に沿ってガンマ線遮蔽性能の高い金属材料であるアングル材７が各々埋設されて相対向している。
【００２４】
このように、プレキャストコンクリート版１・２の接合部の二つの直角部を有する平面視クランク状の空隙６の出隅部に沿ってガンマ線遮蔽性能の高いアングル材７を各々埋設することで、現場作業量の少ないプレキャストコンクリート版１・２によるガンマ線遮蔽壁やガンマ線遮蔽床を提供することができる。
【００２５】
そして、プレキャストコンクリート版１・２の接合部の平面視クランク状の空隙６に沿ってアングル材７が各々埋設されて相対向しているので、プレキャストコンクリート版１・２の両端部をそれぞれ補強することができる。
【００２６】
（実施形態３）
図３は実施形態３を示すもので、前述した実施形態２と同様、１はプレキャストコンクリート版、２はプレキャストコンクリート版、６は空隙であって、８はガンマ線遮蔽部材である。
【００２７】
図示のように、隣接するプレキャストコンクリート版１・２の接合部には、二つの直角部を有する平面視クランク状の空隙６が確保されており、その平面視クランク状の空隙６において、ガンマ線遮蔽部材８がプレキャストコンクリート版１・２の両端部に各々埋設されて相対向している。
【００２８】
すなわち、プレキャストコンクリート版１・２の両端部には、二つの直角部を有する平面視クランク状の空隙６を形成する内隅部に沿ってガンマ線遮蔽性能の高い金属材料である鉄板８が各々埋設されて相対向している。
【００２９】
このように、プレキャストコンクリート版１・２の接合部の二つの直角部を有する平面視クランク状の空隙６の内隅部に沿ってガンマ線遮蔽性能の高い鉄板８を互いに平行に各々埋設することで、現場作業量の少ないプレキャストコンクリート版１・２によるガンマ線遮蔽壁やガンマ線遮蔽床を提供することができる。
【００３０】
そして、プレキャストコンクリート版１・２の接合部の平面視クランク状の空隙６に沿って鉄板８が各々埋設されて相対向しているので、プレキャストコンクリート版１・２の両端部をそれぞれ補強することができる。
【００３１】
（実施形態４）
図４は実施形態４を示すもので、前述した実施形態１と同様、１はプレキャストコンクリート版、２はプレキャストコンクリート版、３は空隙であって、９はガンマ線遮蔽部である。
【００３２】
図示のように、隣接するプレキャストコンクリート版１・２の直線状の空隙３を含んで接合部には、その外側から空隙３を閉塞してガンマ線を遮蔽するガンマ線遮蔽部９が設けられている。
【００３３】
すなわち、プレキャストコンクリート版１・２の接合部の外側には、空隙３を閉塞してガンマ線遮蔽性能の高い材料による別体のプレキャストコンクリート構造物９が設置されている。
【００３４】
このように、プレキャストコンクリート版１・２の接合部の外側に、空隙３を閉塞してガンマ線遮蔽性能の高いプレキャストコンクリート構造物９を設置することで、現場作業量の少ないプレキャストコンクリート版１・２によるガンマ線遮蔽壁やガンマ線遮蔽床を提供することができる。
【００３５】
なお、ガンマ線遮蔽部９としては、他に金属板でもよい。
【００３６】
（実施形態５）
図５は実施形態５を示すもので、前述した実施形態１と同様、１はプレキャストコンクリート版、２はプレキャストコンクリート版であって、１０は空隙、１１は溝、１２は溝、１３は袋、１４はガンマ線遮蔽部材である。
【００３７】
図示のように、隣接するプレキャストコンクリート版１・２の接合部の空隙１０に、ガンマ線を遮蔽するガンマ線遮蔽部材１４が充填されている。
【００３８】
すなわち、プレキャストコンクリート版１・２の両端部に相対向する溝１１・１２を各々形成する一方、予めゴム等の柔軟性を具備する袋１３にガンマ線遮蔽性能の高い鉄球や鉛１４を収容しておく。こうして鉄球や鉛１４が収容された袋１３を、プレキャストコンクリート版１・２の両端部の溝１１・１２に入れる。
【００３９】
このように、プレキャストコンクリート版１・２の接合部の空隙１０にガンマ線遮蔽性能の高い鉄球や鉛１４を充填することで、現場作業量の少ないプレキャストコンクリート版１・２によるガンマ線遮蔽壁やガンマ線遮蔽床を提供することができる。
【００４０】
以上、要求される遮蔽性能、施工性、費用等に応じて、前述した実施形態１〜５の構成を単独または組み合わせて対策する。
【００４１】
（変形例）
以上の実施形態においては、ガンマ線遮蔽部材としてアングル材、鉄板、鉄球や鉛としたが、本発明はこれに限定されるものではなく、他の金属であってもよい。
また、空隙、ガンマ線遮蔽部、ガンマ線遮蔽部材の形状等も任意であり、その他、具体的な細部構造等についても適宜に変更可能であることは勿論である。
【符号の説明】
【００４２】
１  プレキャストコンクリート版
２  プレキャストコンクリート版
３  空隙
４  ガンマ線遮蔽部
５  空隙
６  空隙
７  ガンマ線遮蔽部材（アングル材）
８  ガンマ線遮蔽部材（鉄板）
９  ガンマ線遮蔽部（プレキャストコンクリート構造物）
１０  空隙
１１  溝
１２  溝
１３  袋
１４  ガンマ線遮蔽部材（鉄球や鉛）
【図１】
2014092462.tif 000003
【図２】
2014092462.tif 000004
【図３】
2014092462.tif 000005
【図４】
2014092462.tif 000006
【図５】
2014092462.tif 000007